(57)【特許請求の範囲】
【請求項１】
記録再生媒体を収納し、該記録再生媒体に記録及び／または再生を行うヘッドを挿入する開口部と、該開口部を覆う媒体シャッターとを備えた媒体カートリッジを着脱可能に装着し、前記記録再生媒体に記録及び／または再生する記録再生装置であって、前記記録再生装置の筐体を成すフレームと、前記媒体カートリッジを載置するホルダーと、前記記録再生装置の所定位置に装着及び該所定位置から撤去する際に、前記ホルダーを前記媒体カートリッジの挿抜方向及び前記媒体カートリッジの厚み方向に所定量移動可能に構成されたホルダー機構と、一端を該ホルダーの第１の支点部に回動可能に支持され、他の一端に前記媒体カートリッジに当接及び前記媒体シャッターに係合するシャッター開閉手段を備えたシャッターレバーとを有し、該シャッターレバーは、前記媒体カートリッジを前記ホルダーに挿入した際、前記シャッター開閉手段が前記媒体シャッター及び前記媒体カートリッジと当接、係合することによって、前記媒体カートリッジの挿入に連動して前記第１の支点部を中心に円弧軌跡を描きながら回動し、前記媒体シャッターを開放させるように構成された記録再生装置において、前記ホルダーの第２の支点部に回動可能に支持され、一端に前記媒体カートリッジが当接する作用部を、他の一端には前記フレームの側壁に形成したストッパー部と係合して前記ホルダーと前記フレームとの相対的な移動を規制するロック部をそれぞれ有し、前記作用部が押圧されることによりロック解除位置まで回動した際に、前記ストッパー部と前記ロック部との係合を解除するように構成されてなるトリガーを有し、
前記トリガーのロック部と前記ホルダーの第２の支点部の距離を、前記トリガーの作用部と前記ホルダーの第２の支点部の距離よりも長くしたことを特徴とする記録再生装置の媒体カートリッジ脱着機構。
【請求項２】
請求項１記載の記録再生装置の媒体カートリッジ脱着機構において、
前記トリガー作用部の形状を半長円形状にして、前記媒体カートリッジが前記作用部に当接直後は前記第２の支点部より遠い側の円弧面にて当接し、前記トリガーの作用部が前記ロック解除位置より回動した以降は前記第２の支点部より近い側の円弧面と当接するよう構成したことを特徴とする記録再生装置の媒体カートリッジ脱着機構。
【請求項３】
請求項１または２記載の記録再生装置の媒体カートリッジ脱着機構において、
前記ホルダー機構は装着位置にある記録再生媒体を前記ホルダーと共に待機位置に移動させる役目を持つ前記筐体に軸支されたリフターと、前記トリガーを所定方向に付勢するトリガーバネとを有してなり、
トリガーバネの一端は前記リフターに接続し、他端は前記第２の支点部を基点に前記トリガーの作用部より内側の位置で接続したことを特徴とする記録再生装置の媒体カートリッジ脱着機構。
【発明の詳細な説明】
【０００１】
【産業上の利用分野】
本発明は記録再生装置の機構構造に関するものであり、より詳しくは記録再生装置のディスク脱着機構に関する。
【０００２】
【従来の技術】
従来の技術としては、特開平３−３４１４９の如きものが知られており、図８は従来のディスク脱着機構の略平面図、図９（Ａ），（Ｂ）はイジェクタの動作を説明する平面図である。
【０００３】
図８及び図９において、１００は記録再生装置の筐体をなすベースであり、ベースの内側にはイジェクタ１６０が設けられている。またベース１００上にはスライドプレート１６２がベースの所定位置に複数本突設された曲げ部１００ｍに案内され、ベース上を図中Ａ，Ｂ方向にスライドできるよう配置されている。スライドプレート１６２の一部には切り欠き１６２ａが形成され、引張コイルバネ１６２ｂの一端がベース１００に固定され、もう一端がスライドプレート１６２に取り付けられ、図中矢印Ｂ方向に付勢されている。スライドプレート１６２の一端に取り付けられたイジェクトボタン１６１の押し込みにより、引張コイルバネ１６２ｂの付勢に抗して図中矢印Ａ方向にスライドすることができる。
【０００４】
１６０はイジェクタであり、ベース１００に固着された軸１６０ａに回動可能に軸支されている。１６４はイジェクトスプリングで、一端はイジェクタ１６０に係支され、他端はベース１００の側面１００ａに形成されたスプリング受け部に収容され、それによりイジェクタに図中反時計方向の回動習性が与えられている。イジェクタ１６０は円弧状の基部１６０ｂとアーム部１６０ｃからなり、アーム部１６０ｃにはカセット１５０のシャッタ開放及び押し出しアーム１６０ｄが設けられている。円弧状の基部１６０ｂのベース側面側の側面はベース側面１００ａに当接して、イジェクタ１６０の待機位置を規制している。
【０００５】
前記スライドプレート１６２のイジェクタ１６０側の端部には突片状のラッチ部１６２ｃが形成されている。このラッチ部１６２ｃは図９（Ａ）に示すように待機位置にあるイジェクタ１６０の基部１６０ｂに引っ掛ることによって、ベース１００とスライドプレート１６２の間の引張コイルバネ１６２ｂによるＢ方向への付勢に抗してスライドプレート１６２をラッチ状態に維持する。イジェクタ１６０がカセット１５０によって図９（Ｂ）に示すように作動位置に移動した時は、イジェクタ１６０がラッチ部１６２ｃから離れることによって、スライドプレート１６２は引張コイルバネ１６２ｂの引張力によりＢ方向へスライドする。
【０００６】
以上の構成において、以下にその動作を説明する。
【０００７】
カセット１５０が図９図中Ａ方向に挿入されると、カセット１５０の前端縁に設けられた切り欠き１５０ａがイジェクタ１６０のアーム部１６０ｃのカセットのシャッタ開放及び押し出しアーム１６０ｄに当接し、カセットのシャッタ開放及び押し出しアーム１６０ｄをイジェクタスプリング１６４の付勢に抗して図中上方向へ押し時計方向へ回動させる。この時、カセットのシャッタ開放及び押し出しアーム１６０ｄによってカセットのシャッタ１５０ｂが図中左方向に押されるので、カセットの挿入と共にカセットのシャッタの開放が行われ記録再生メディア（図示せず）が露出する。また、カセット１５０が図９（Ｂ）に示す位置に達し、イジェクタ１６０のカセットのシャッタ開放及び押し出しアーム１６０ｄがカセット前端部と平行な位置に達すると、イジェクタ１６０の円弧状の基部１６０ｂがスライドプレート１６２のラッチ部１６２ｃから抜け出す。すると、スライドプレート１６２とイジェクタ１６０との係合が外れ、スライドプレート１６２は引張コイルバネ１６２ｂによって図中Ｂ方向へスライドする。
【０００８】
また、カセット排出時には記録再生装置の前面に設けられたイジェクトボタン１６１を押し込むと、スライドプレート１６２が引張コイルバネ１６２ｂの付勢に抗して図９（Ｂ）の位置からＡ方向に摺動する。それによりスライドプレート１６２のラッチ部１６２ｃがイジェクタ１６０の円弧状の基部１６０ｂの後部から離され、イジェクタスプリング１６４の付勢によってイジェクタ１６０のアーム部１６０ｃが反時計方向に回動され、図９（Ａ）に示す排出位置へ移動する。同時にカセット１５０が記録再生装置から排出される。
【０００９】
【発明が解決しようとする課題】
しかし、前述のような従来の構造のディスク脱着機構は、ディスクのシャッタ開放とディスクの押し出しの二つの動作をイジェクタにより兼任して行なうため、ディスクが正規の方向（図９（Ａ）に示す方向）でない向きに挿入された場合でもイジェクタの回動が可能であることにより、ディスクが不正規な方向で記録再生装置の装着位置に装着されてしまう場合があった。この場合、記録再生用磁気ヘッドが本来、ディスクから露出したメディア面に接触するべきものが、ディスクが不正規方向に装着されているためディスクのカセット上に接触し磁気ヘッドを傷つけたり、破壊してしまうという問題を有していた。
【００１０】
この問題の対処方法として、ディスクの挿入方向を検出するための検出部品を別に設ける等の方法をとっており構造が複雑になっていた。
【００１１】
そこで本発明は以上のような問題を解決するもので、その目的とするところは、ディスクの挿入方向を正しく検出してディスクの装着および排出を行なう、簡単な構造のディスク脱着機構を提供することにある。
【００１２】
【課題を解決するための手段】
上記の課題を解決するため、本発明の記録再生装置のディスク脱着機構は、記録再生媒体を収納し、該記録再生媒体に記録及び／または再生を行うヘッドを挿入する開口部と、該開口部を覆う媒体シャッターとを備えた媒体カートリッジを着脱可能に装着し、前記記録再生媒体に記録及び／または再生する記録再生装置であって、前記記録再生装置の筐体を成すフレームと、前記媒体カートリッジを載置するホルダーと、前記記録再生装置の所定位置に装着及び該所定位置から撤去する際に、前記ホルダーを前記媒体カートリッジの挿抜方向及び前記媒体カートリッジの厚み方向に所定量移動可能に構成されたホルダー機構と、一端を該ホルダーの第１の支点部に回動可能に支持され、他の一端に前記媒体カートリッジに当接及び前記媒体シャッターに係合するシャッター開閉手段を備えたシャッターレバーとを有し、該シャッターレバーは、前記媒体カートリッジを前記ホルダーに挿入した際、前記シャッター開閉手段が前記媒体シャッター及び前記媒体カートリッジと当接、係合することによって、前記媒体カートリッジの挿入に連動して前記第１の支点部を中心に円弧軌跡を描きながら回動し、前記媒体シャッターを開放させるように構成された記録再生装置において、
前記ホルダーの第２の支点部に回動可能に支持され、一端に前記媒体カートリッジが当接する作用部を、他の一端には前記フレームの側壁に形成したストッパー部と係合して前記ホルダーと前記フレームとの相対的な移動を規制するロック部をそれぞれ有し、前記作用部が押圧されることによりロック解除位置まで回動した際に、前記ストッパー部と前記ロック部との係合を解除するように構成されてなるトリガーを有し、
前記トリガーのロック部と前記ホルダーの第２の支点部の距離を、前記トリガーの作用部と前記ホルダーの第２の支点部の距離よりも長くしたことを特徴とする。
【００１３】
そして、前記トリガー作用部の形状を半長円形状にして、前記媒体カートリッジが前記作用部に当接直後は前記第２の支点部より遠い側の円弧面にて当接し、前記トリガーの作用部が前記ロック解除位置より回動した以降は前記第２の支点部より近い側の円弧面と当接するよう構成したことを特徴とする。
【００１４】
また、前記ホルダー機構は装着位置にある記録再生媒体を前記ホルダーと共に待機位置に移動させる役目を持つ前記筐体に軸支されたリフターと、前記トリガーを所定方向に付勢するトリガーバネとを有してなり、
トリガーバネの一端は前記リフターに接続し、他端は前記第２の支点部を基点に前記トリガーの作用部より内側の位置で接続したことを特徴とする。
【００１５】
【作用】
上記の構成によれば、ディスクを正規の方向に挿入された場合のみトリガーの回動によりロックが外れ、ディスクの装着が可能となり、ディスクが誤った方向に挿入された場合は、トリガーは回動せずディスクの挿入がそれ以上は進まないもので、記録再生磁気ヘッドの保護が達成できるものである。
【００１６】
【実施例】
本発明の詳細を図面に基づいて説明する。
【００１７】
図１は本発明の記録再生装置の全体斜視図、図２は本発明のディスク脱着機構のディスクが挿入される前の状態を示す要部平面図、図３は本発明のディスク脱着機構のディスクが挿入される前の状態を示す要部側面図、図４は本発明のディスク脱着機構のディスクが挿入後の状態を示す要部平面図、図５は本発明のディスク脱着機構のディスクが挿入後の状態を示す要部側面図、図６は本発明のディスク脱着機構のディスクが誤って挿入された状態を示す要部平面図である。図７（ａ）から（ｃ）はディスクの挿入によってトリガーが回動する様子を示すトリガー動作図であり、図７（ａ）はディスクがトリガーを押す直前の状態を示す要部平面図、図７（ｂ）はディスクがトリガーを押圧している中間状態を示す要部平面図、図７（ｃ）はディスクがホルダーストッパー部まで押し込まれた状態を示す要部平面図である。
【００１８】
図１において、１は装置のシャーシで板金にて形成されている。２はディスク３を挾持し、ディスク３と共に前後上下所定量移動可能なホルダーであり板金で構成され、２Ａ，２Ｂ，２Ｃ，２Ｄはホルダー２に一体でバーリングで構成したホルダーピンで、シャーシ１の案内溝１Ａ，１Ｂ，１Ｃ，１Ｄに移動可能に係合している。そしてホルダー２はシャーシ１と引張りバネ２３Ａと２３Ｂにて図中４Ａ方向に付勢されている。５は板金で構成されたリフターで、支点部５Ｂを中心に回動可能にシャーシ１に係合されている。６はフロントベゼルで装置の前面外観部である。６Ａは装置の動作状態を示すＬＥＤが入り込むＬＥＤ部、６Ｂはフロッピーデイスク３が挿脱通過する開口部である。７はプッシュボタンであり、フロントベゼル６の前面に突出し、ボタンアーム９（図５）に連結されている。１１はシャッターレバーで、３．５”フロッピーディスクの防塵用のディスクシャッター３Ａをディスク３挿入時にディスク３挿入方向と直角方向にスライドさせ、ディスク３の中に収納されるメディア面を露出させる役目をもつ。
【００１９】
そしてその構造は、図２と図４において、シャッターレバー１１は鉄，アルミニウム等の金属部材から構成され、シャッターレバー１１の一端１１Ｍは支点穴であり、ホルダー２のバーリングによって形成された支点部２Ｍと係合し支点部２Ｍを中心に回動可能にホルダー２に装着されている。１１Ｃはホルダー２に装着されたシャッターバネ１０の荷重部であり、シャッターバネ１０の荷重によりシャッターレバー１１は１１Ａ方向に付勢されている。そして、シャッターレバー１１から曲げ起こされた１１Ｄは待機位置決め部でホルダー２に設けられた位置決め部２Ｎにて開閉部１１Ｂの待機位置が定められている。開閉部１１Ｂはシャッターレバーから曲げ起こして構成したものでディスクシャッター３Ａを開閉動作する役目をもち、その断面形状は略Ｌ字形状を成している。
【００２０】
図１において、１２はトリガーであり、ホルダー２から突き出たピン部２Ｅを支点に回動可能に装着されている。１３はトリガーバネで、一端はトリガー１２に係支され、他端はリフター５に係支され、これによりトリガー１２に図中矢印１３Ａ方向の回動習性が与えられている。図２において、トリガー１２は鍵状のロック部１２Ａとディスク３の前端面３Ｃと当接する作用部１２Ｄからなり、ロック部１２Ａはシャーシ１の側板１Ｓに形成された係合部１Ｌと所定量の隙間Ｌを有してトリガー度決め部１２Ｂとシャーシの側板１Ｓにて、その位置が規制されている。トリガー作用部１２Ｄは、ディスク３との荷重点であり、ディスク挿入時にはディスク３の前端面３Ｃより押圧されることにより、ホルダーピン部２Ｅを中心にトリガー２が図中時計方向に回動して、シャーシ係合部１Ｌよりトリガーロック部１２Ａが遠ざかり、ホルダー２の図中右方向への移動が可能な状態となる。また、ディスク排出時には、トリガーバネ１３による付勢力がトリガー作用部１２Ｄからディスク３に伝わり、ディスクが排出される。
【００２１】
次に、トリガーロック部１２Ａの側方に形成された当接部１２Ｃは、図４に示すように、ディスク３の記録再生装置への装着が完了した時点においては、シャーシ側板１Ｓに当接して、トリガー１２の回動が規制される構成である。
【００２２】
図１において、１５は図示しない上ヘッドを搭載した上キャリッジでありホルダー２の図中上下方向の移動に連動して上ヘッドが所定量上下移動可能な構成となっている。
【００２３】
以上の構成において、以下にディスクの挿入及び排出時の動作を説明する。
【００２４】
ディスク挿入時においては、ディスク３が正規の方向（図１に示す方向）でフロントベゼル開口部６Ｂより差し込まれると、ディスク３の端面は、図２及び図３において、
待機位置にあるシャッター開閉部１１Ｂの断面略Ｌ字形状角部の円弧形状をなす円弧面１１Ｒがディスク前端面３Ｃと当接する。さらにディスク３を挿入すると、シャッター開閉部１１Ｂは支点部１１Ｍを中心に円弧軌跡を描きながら回動し、最終的に開閉部１１Ｂは図４に示す如く、断面略Ｌ字形状の一端１１Ｓがディスクシャッター３Ａの端面と当接し、断面略Ｌ字形状の当接面１１Ｔとディスクの案内溝３Ｄとが当接し、ディスクシャッター３Ａはディスク内に内蔵された図示しないバネの付勢力により３Ｈ方向に付勢されており、シャッター開閉部１１Ｂはディスクシャッター３Ａとディスク案内部３Ｄに挟みこまれて、ディスクシャッター３Ａの開放動作が終了する。
【００２５】
次にトリガーの回動動作の様子を図７に基づいて説明する。前述のディスクシャッター３Ａの開放動作と連動して、ディスク３は図７（ａ）に示すように、まずトリガー１２の半長円形状を成す作用部１２Ｄのホルダーピン２Ｅより遠い側の円弧面に当接押圧する。さらにディスクが挿入されると、トリガー１２はホルダーピン２Ｅを中心に回動して、図７（ｂ）に示すように、ディスク前端面３Ｃはトリガー作用部１２Ｄの平面部を押圧する。このとき、ホルダー２の回転中心であるホルダーピン２Ｅとトリガーロック部との距離Ｒ１と、同じくホルダーピン２Ｅとトリガー作用部の円弧面との距離Ｒ２、との関係は距離Ｒ１を距離Ｒ２に対して長く構成してあり、ディスクのトリガーへの押圧状態が図７（ｂ）に示す状態のとき、トリガーロック部１２Ａがシャーシ１の係合部１Ｌから外れる位置関係に構成してある。そして、さらにディスクを挿入すると、図７（ｃ）に示すように、ディスク３はホルダーストッパー部２Ｇに当接し、この時ディスク前端面３Ｃはトリガー作用部１２Ｄのホルダーピン２Ｅより近い側の円弧面を押圧する。この回動動作によりトリガー当接部１２Ｃはシャーシ側板１Ｓとの距離Ｌ１をもち、ホルダー２は後退可能な状態となりトリガー２の回動動作が終了する。このホルダーピン２Ｅとトリガー作用部１２Ｄの円弧面との距離Ｒ４（図７（ｃ））は前記距離Ｒ２より短いため、トリガー２の回転角度が相対的に増え、前記距離Ｌ１を十分大きく確保することができる。
【００２６】
その次に、さらにディスク３を押すと、図３において、ディスクはホルダー２のディスク受け２Ｇで位置決めされており、それ以降はホルダー２と共に後退してホルダーピン２Ａ，２Ｂ，２Ｃ，２Ｄ部がそれぞれシャーシ１Ｅ，１Ｆ，１Ｇ，１Ｈ部から外れると、ホルダー２はバネ２３Ａと２３Ｂの付勢力により４Ｖ方向へ落ち込む。そして、ディスク挿入が終了すると、図４に示すように、トリガー２はトリガーバネ１３により１３Ａ方向に付勢され、トリガー当接部１２Ｃはシャーシ側板１Ｓに当接して、トリガー１２の回動が規制される。
【００２７】
また、図７に示すように、トリガーバネ１３はトリガーフック部１２Ｆに掛けられており、トリガー２の回転中心となるホルダーピン２Ｅからの距離Ｒ３はホルダーピン２Ｅとトリガー作用部１２Ｄの円弧面との距離Ｒ２及びＲ４より小さくなるよう構成してある。ディスク３の挿入によりトリガー１２を回動させるのに必要な荷重は、トリガーバネ荷重をＦとすれば、Ｆ＊Ｒ３／Ｒ２という関係式になり、これはトリガーバネ荷重Ｆよりも小さくなる。トリガー１２はホルダー２に軸支されているため、トリガーバネ荷重Ｆは同時にホルダー２を図中４Ｈ方向に付勢する荷重ともなる。従って、ディスク挿入時にホルダーを図中４Ｈ方向に付勢する力は図３に示すロードバネ２３Ａ，２３Ｂの４Ｈ方向成分と、トリガーバネ荷重とトリガーを回動させるのに必要な荷重の相殺された荷重（Ｆ−Ｆ＊Ｒ３／Ｒ２）の和となるため、距離Ｒ２及び距離Ｒ３の設定に応じて、ホルダー２の４Ｈ方向の付勢力を自由に変えることができる。図７において、ディスク挿入時はトリガー２が回動してトリガーロック部１２Ａがシャーシ係合部１Ｌから外れるまではホルダー２が後退動作をしないように、前記荷重（Ｆ−Ｆ＊Ｒ３／Ｒ２）を適当に設定することで、ホルダー２の４Ｈ方向への十分な付勢力を得ることができる。ちなみにホルダーの４Ｈ方向への付勢力が小さいと、ディスク挿入時にホルダーが後退してトリガーロック部１２Ａがシャーシ係合部１Ｌに係合してしまい、ホルダーがそれ以上後退できずディスクの挿入が完了できないという不具合が生ずる。
【００２８】
図５において、シャーシ１側にはディスク３の載置を４ヵ所で支えるよう受け部材１Ｊ，１Ｋが設けられていて、ディスク３はこの載置部１Ｊ，１Ｋまで落ち込みディスク挿入は完了する。同時にディスク３の中に収納され信号を記録再生するメディアの中央に固定されるディスクハブ（図示せず）は図示しないディスクターンテーブルと係合する。また、ホルダー２が４Ｖ方向に移動すると共に、上キャリッジ１５（図１）が４Ｖ側に移動し上下の磁気ヘッドが該メディアを挟みこみ記録再生が可能な状態となる。
【００２９】
次にディスク排出動作であるが、図４及び図５において、ボタン７が図５の図中矢印１７の方向に押されると、ボタン７を固着したボタンアーム９が図中右方向に移動しリフター５を支点部５Ｂを中心に５Ａ方向に回動させホルダー持ち上げ部２Ｊを左右２点で持ち上げる。この時ホルダー５の上キャリッジ持ち上げ部２Ｐで上キャリッジ１５（図１）を持ち上げ、磁気ヘッドをメディア面から持ち上げる。さらにホルダーピン２Ａ，２Ｂ，２Ｃ，２Ｄがそれぞれ図５のシャーシ１ｅ，１ｆ，１ｇ，１ｈの壁から外れると、バネ２３Ａ及び２３Ｂの水平方向（図中４Ｈ方向）の付勢力によりホルダー２と共にディスク３が図中４Ｈ方向へ移動する。ホルダー２が所定量戻ると、ホルダー上に設置されたトリガーの当接部１２Ｃが、シャーシ側板１Ｓからシャーシ係合部１Ｌの位置に移動し、トリガー１２の回動規制が解かれることでトリガーバネ１３の付勢により、図中矢印１３Ａ方向に回動し、図２に示す排出位置へ移動する。同時に、トリガーのディスク作用部１２Ｄよりトリガーバネ１３の付勢力を受け、ディスク３が記録再生装置から排出される。同時にシャッターレバー１１もシャッターバネ１０の付勢力により戻りディスクシャッター３Ａが閉じられる。このようにして排出動作が完了する。このように、ホルダー２の図５上方向への上昇が済み、上キャリッジ１５及び図示しない上ヘッドが完全に上昇した後、ホルダー２が４Ｈ方向に少し移動し、トリガー当接部１２Ｃのシャーシ側板１Ｓからの係合が外れることで、ディスク３が排出されるため、ヘッドとディスクの干渉によるヘッド破壊という不具合のない構造が達成できる。
【００３０】
次に、図６に示すように、ディスク３が誤って正規でない向き（図１に示すディスク３の方向が正規の向きであり、これ以外の挿入方向である。）にホルダー２に挿入された場合であるが、
ディスク３の挿入動作によりシャッターレバー１１の開閉部１１Ｂは支点部２Ｍを中心に円弧軌跡を描きながら回動し、シャッタレバーの回転量規制部１１Ｚがホルダーストッパー部２Ｚに規制されるまでディスク３は挿入される。そしてディスク３の挿入が規制される位置ではディスク３の後端面３Ｄは、トリガー１２の作用部１２Ｄとは当接しない位置関係にトリガー２は待機しており、トリガー２の支点部２Ｍにおける回動動作はされない。この状態でディスクがさらに押されると、トリガー２は回動しないまま、ディスクの押し込み荷重がシャッターレバー開閉部１１Ｂを介してホルダー２に伝わり、ホルダーが図中右方向に移動を始める。そして、トリガーロック部１２Ａとシャーシ係合部１Ｌとの初期的な隙間Ｌだけホルダー２が移動すると、トリガーロック部１２Ａがシャーシ係合部１Ｌと当接することで、ホルダー２の移動が規制され、ディスクはそれ以上は挿入されない。この構造は、図示しない磁気ヘッドが、ディスクシャッター３Ａが開いた時のみ、メディア面と接触をし、それ以外はヘッドを保護するための構造である。
【００３１】
以上のようにディスクの誤挿入防止機構が働き、ホルダー２及びディスク３は装着されずトリガー１２によってロックされる。この時ディスク３を挿入する力をシャッター開閉部１１Ｂとトリガーロック部１２Ａが直接受ける構成となっており、シャッター開閉部１１Ｂ及びトリガーロック部１２Ａは所定の強度が必要となる。この強度はシャッター開閉部１１Ｂでは断面の略Ｌ字形状にて決定され、シャッターレバー１１の板厚，当接面１１Ｔの長さを含め、略Ｌ字形状を適正に決定すれば十分な強度が得られる。またトリガーロック部１２Ａにおいても肉厚を含め、形状を適正に決定すれば十分な強度が得られる。
【００３２】
【発明の効果】
以上述べたように本発明によれば、ディスクシャッターの開放動作をするシャッターレバーと、ディスクの挿入の検出及びディスクの排出動作をするトリガーとの組み合わせで、ディスクの挿入方向を正しく検出してディスクの装着及び排出動作を行なうことができ、簡単な構造で信頼性の高い機構が達成できるといった効果があり、本発明の実用的効果は極めて大きい。
【図面の簡単な説明】
【図１】本発明の記録再生装置の全体斜視図。
【図２】本発明のディスク脱着機構のディスクが挿入される前の状態を示す要部平面図。
【図３】本発明のディスク脱着機構のディスクが挿入される前の状態を示す要部側面図。
【図４】本発明のディスク脱着機構のディスクが挿入後の状態を示す要部平面図。
【図５】本発明のディスク脱着機構のディスクが挿入後の状態を示す要部側面図。
【図６】本発明のディスク脱着機構のディスクが誤って挿入された状態を示す要部平面図。
【図７】本発明のディスクの挿入によってトリガーが回動する様子を示すトリガー動作図。
【図８】従来のディスク脱着機構の略平面図。
【図９】従来のイジェクタの動作を説明する平面図。
【符号の説明】
１ シャーシ
２ ホルダー
３ ディスク
５ リフター
６ フロントベゼル
７ プッシュボタン
１０ シャッターバネ
１１ シャッターレバー
１２ トリガー
【図１】
0003648785.tif 000002
【図２】
0003648785.tif 000003
【図３】
0003648785.tif 000004
【図４】
0003648785.tif 000005
【図５】
0003648785.tif 000006
【図６】
0003648785.tif 000007
【図７】
0003648785.tif 000008
【図８】
0003648785.tif 000009
【図９】
0003648785.tif 000010